(57)【要約】【課題】高保磁力の磁気記録媒体であっても、良好に消磁を行なうことが可能な消磁装置を提供することを目的とする。【解決手段】対向し同期して回転する回転板に複数の永久磁石を円周方向に配列させ、該回転板を回転して交番磁界を発生させて磁気記録媒体を消磁する消磁装置であって、前記回転板に配列された対向する永久磁石が、同極対向、異極対向と交互に配列され、かつ同極対向部および異極対向部の各々の部分の磁力線の向きが交互に逆転していることを特徴とする。【選択図】図１
2012079389.tif 000002
【特許請求の範囲】
【請求項１】
対向し同期して回転する回転板に複数の永久磁石を円周方向に配列させ、該回転板を回転して交番磁界を発生させて磁気記録媒体を消磁する消磁装置であって、
前記回転板に配列された対向する永久磁石が、同極対向、異極対向と交互に配列され、かつ
同極対向部および異極対向部の各々の部分の磁力線の向きが交互に逆転していることを特徴とする消磁装置。
【請求項２】
請求項１に記載の消磁装置で磁気記録媒体を消磁する工程を含むことを特徴とする磁気記録媒体の製造方法。
【発明の詳細な説明】
【技術分野】
【０００１】
本発明は、永久磁石を用いて交番磁界を発生させて磁気記録媒体の消磁を行なう消磁装置に関する。
【背景技術】
【０００２】
近年、磁気記録媒体の高容量化に伴い、磁気記録媒体の保磁力が高くなり、磁気サーボの記録前の消磁や製品出荷前に行なう消磁を完全に行なうのが困難になってきている。また、完全な消磁によるノイズの除去が重要となってきている。
この消磁装置に関しては、いくつかの先行技術がある（例えば、特許文献１、２）
【先行技術文献】
【特許文献】
【０００３】
【特許文献１】実公昭６０−２５６８８号公報
【特許文献２】実開平５−８７９０８号公報
【発明の概要】
【発明が解決しようとする課題】
【０００４】
特許文献１には、回転駆動される回転台と、この回転台の偏心位置に取り付けられ。この回転台の回転時に自転する回転板と、この回転板上に異極で対向させて取り付けた一対の永久磁石とを具備する磁気テープ消磁器が開示されている。
特許文献２には、回転体上に複数の永久磁石を配列し、回転体上に磁性体を通過させることにより磁性体の残留磁気を消磁させる脱磁装置が開示されている。
【０００５】
しかし、これらの従来技術は、いずれも被消磁物の一方から交番磁界を掛けて消磁を行なうもので、近年の高保磁力の磁気記録媒体の消磁にあたっては、さらなる低ノイズ化が必要であり、これに対応すべく十分な消磁を行なうのは困難となっていた。
【０００６】
本発明は、多方向からの交番磁界を掛けることが可能で、高保磁力の磁気記録媒体であっても、良好に消磁を行なうことが可能な消磁装置を提供することを目的とする。
【課題を解決するための手段】
【０００７】
本発明者らは、消磁装置の構成について鋭意検討した結果、消磁装置を下記の構成にすれば、上記目的を達成できることを見出し本発明をなすに到った。
【０００８】
すなわち、対向し同期して回転する回転板に複数の永久磁石を円周方向に配列させ、該回転板を回転して交番磁界を発生させて磁気記録媒体を消磁する消磁装置であって、前記回転板に配列された対向する永久磁石が、同極対向、異極対向と交互に配列され、かつ同極対向部および異極対向部の各々の部分の磁力線の向きが交互に逆転していることを特徴とする。
【発明の効果】
【０００９】
本発明によれば、対向し同期して回転する回転板に複数の永久磁石を円周方向に配列させ、前記回転板に配列された対向する永久磁石が、同極対向、異極対向と交互に配列され、かつ同極対向部および異極対向部の各々の部分の磁力線の向きが交互に逆転しているため、多方向からの交番磁界を掛けることが可能で、高保磁力の磁気記録媒体であっても、良好に消磁を行なうことが可能な消磁装置を提供できる。
【図面の簡単な説明】
【００１０】
【図１】本発明の一例の消磁装置の概略構成図である。
【図２】従来の一例の消磁装置の概略構成図である。
【図３】本発明の消磁装置の回転板に配置される永久磁石の一例の配置図である。
【図４】本発明の消磁装置の回転板に配置される永久磁石の別の一例の配置図である。
【発明を実施するための形態】
【００１１】
図２に従来の一例の消磁装置の概略構成図を示す。本例の消磁装置２００は、異なる磁極が表面になるように永久磁石２４が配置された回転板２３を、モータ１１により、モーダギア１２、回転ギア２２、回転軸２１を介して回転させて交番磁界を発生させる。回転板２３の上面に沿ってベルトコンベア５４が配設されており、磁気テープが収納されたカセットシェル５２を回転板２３の上面に沿って搬送できるようになっている。これにより、カセットシェルに収納された磁気テープは交番磁界から離間するに従って、徐々に弱くなる交番磁界を掛けられて消磁される。  しかし、このような消磁装置では、近年の高保磁力の磁気記録媒体の消磁にあたっては、さらなる低ノイズ化が必要であり、これに対応すべく十分な消磁を行なうのは困難となっていた。
【００１２】
図１に本発明の一例の消磁装置の概略構成図を示す。本例の消磁装置１００は、同期して回転可能な対向する回転板２３、４３にそれぞれ複数の永久磁石２４、４４が配置されている。回転板２３、４３はモータ１１により、モーダギア１２、回転ギア２２、４２、回転軸２１、４１を介して回転させて交番磁界を発生させる。回転板２３、４３を同期回転させるために、同期軸３１、同期ギア３２、３３が配設されている。対向する回転板２３、４３の間を磁気テープが収納されたカセットシェル５２を搬送するための手段として、カセットシェル５２の上下を挟んで搬送する挟み送りコンベア５１が配設されている。
【００１３】
本発明の消磁装置１００は、カセットシェル５２の搬送経路の上下に、交番磁界を発生させる回転板２３、４３が配設されているので、効率よくカセットシェル５２を消磁することができる。
【００１４】
本発明の消磁装置１００は、上下の回転版に特定の規則に従い永久磁石を配置するので、効率よくカセットシェル５２を消磁することができる。
【００１５】
図３に回転板２３、４３における永久磁石２４、４４の一例の配置を示す。図３（ａ）は、回転板（上部）２３の下面の磁極の極性を上から見たところを示している。図３（ｂ）は、回転板（下部）４３の上面の磁極の極性を上から見たところを示している。図から分るように、回転板（上部）２３の下面の磁極（２４ａ〜２４ｄ）は、反時計回に、Ｎ、Ｓ、Ｓ、Ｎと配置されている。回転板（下部）４３の上面の磁極（４４ａ〜４４ｄ）は、反時計回りにＳ、Ｓ、Ｎ、Ｎと配置されている。よって、対向する磁極は、反時計回りに吸引、反発、吸引、反発となるように配置されている。この時の挟み送りコンベア５１の位置の水平面における磁力線の向きは、反時計回りに、面に垂直下向き、面内放射状内向き、面に垂直上向き、面内放射状外向きと変化する。上下の回転板２３、４３が同期して回転すると、このように、様々な方向に変化する磁力線の交番磁界が得られるので、磁気テープを様々な方向から消磁することが可能となり完全な消磁が困難な高保磁力の磁気記録媒体であっても、効率よく完全に消磁することができる。
【００１６】
図４に回転板２３、４３における永久磁石２４、４４の別の一例の配置を示す。磁石を上下２個づつ配置する場合の例を示す。図４（ａ）は、回転板（上部）２３の下面の磁極の極性を上から見たところを示している。図４（ｂ）は、回転板（下部）４３の上面の磁極の極性を上から見たところを示している。図から分るように、この場合も、回転板２３、４３に配置された永久磁石２４ｉ、２４ｊ、４４ｉ、４４ｊが上から見て重なる四隅の位置では、図３の場合と同様に、挟み送りコンベア５１の位置の水平面における磁力線の向きは、反時計回りに、面に垂直下向き、面内放射状内向き、面に垂直上向き、面内放射状外向きと変化するので、同様の消磁硬化が得られる。
【産業上の利用可能性】
【００１７】
本発明によれば、多方向からの交番磁界を掛けることが可能で、高保磁力の磁気記録媒体であっても、良好に消磁を行なうことが可能な消磁装置を提供できる。
【符号の説明】
【００１８】
１１    モータ
１２    モータギア
２１    回転軸（上部）
２２    回転軸ギア（上部）
２３    回転板（上部）
２４    永久磁石（上部）
３１    同期軸
３２    同期ギア（上部）
３３    同期ギア（下部）
４１    回転軸（下部）
４２    回転軸ギア（下部）
４３    回転板（下部）
４４    永久磁石（下部）
５１    挟み送りコンベア
５２    カセットシェル
５４    コンベア
１００  消磁装置（本発明）
２００  消磁装置（従来例）
【図１】
2012079389.tif 000003
【図２】
2012079389.tif 000004
【図３】
2012079389.tif 000005
【図４】
2012079389.tif 000006